(57)【要約】      （修正有）【課題】球形化度が高く小粒径のトナーを使用した場合でも、像担持体の摩耗・損傷、無駄なトナー消費によるランニングコストアップ、像担持体上への摩擦抵抗低下物質の供給によるランニングコストアップを有効に回避し、トナーのクリーニング性を改善する画像形成装置を提供する。【解決手段】各色成分トナー像が形成される複数の画像形成ユニット１００と、形成されたトナー像を順次転写保持させる中間転写ベルト１１０と、転写された重ね画像を用紙Ｐに一括転写させる一括転写装置１２０と、トナー像を用紙Ｐ上に定着させる定着装置１５０と、を備えた画像形成装置において、転写域通過後の感光体ドラム１０１上に残留する残トナーを除去するためのクリーニングブレード１０７を有するドラムクリーナ１０６を設けると共に、ブレードニップ部にクリーニング補助用トナーを供給するクリーニング補助用トナー供給装置１４０を備える。【選択図】図１
2006084842.tif 000002
【特許請求の範囲】
【請求項１】
像担持体に画像形成用トナーによるトナー像を形成する作像手段と、
前記作象手段により担持された前記トナー像を像担持体から記録媒体、又は中間転写体を介して記録媒体へ転写する転写手段と、
前記像担持体から記録媒体又は中間転写体へのトナー像の転写完了後に、前記像担持体の表面に圧接して、残留した前記画像形成用トナーを除去するクリーニングブレードと、
前記像担持体とクリーニングブレードとの圧接部に、クリーニング補助用トナーを供給するクリーニング補助用トナー供給手段と、
を備える画像形成装置。
【請求項２】
前記クリーニング補助用トナー供給手段を、前記像担持体の周囲に配置した請求項１に記載の画像形成装置。
【請求項３】
前記クリーニング補助用トナー供給手段を、前記中間転写体の周囲に配置した請求項１に記載の画像形成装置。
【請求項４】
前記クリーニング補助用トナーの体積平均粒径が、前記画像形成用トナーの体積平均粒径よりも小さい請求項１に記載の画像形成装置。
【請求項５】
前記クリーニング補助用トナーの形状係数ＳＦ１が、前記画像形成用トナーの形状係数ＳＦ１と同等もしくは大きい請求項１に記載の電子写真画像形成装置。
【請求項６】
前記クリーニング補助用トナーの体積平均粒径が、１．５〜５．０μｍである請求項１に記載の画像形成装置。
【請求項７】
前記画像形成用トナーの体積平均粒径が、１．５〜５．０μｍである請求項１に記載の画像形成装置。
【請求項８】
前記画像形成用トナーの形状係数ＳＦ１が、１００〜１２５である請求項１に記載の画像形成装置。
【発明の詳細な説明】
【技術分野】
【０００１】
本発明は、電子写真複写機やレーザープリンタ等の画像形成装置に関する。
【背景技術】
【０００２】
従来、画像形成装置として、例えば、トナー像が形成担持される像担持体と、前記像担持体に対向配置される中間転写体と、前記中間転写体上に前記像担持体上のトナー像を転写する一次転写手段と、記録媒体上に前記中間転写体上のトナー像を転写する二次転写手段とを備えたものが知られている。
【０００３】
近年、このような画像形成装置に対する高画質化への要求が急速に高まってきているが、その高画質化への一つの方向として、現像剤として用いるトナーの小粒径化が進められている。しかし、従来のトナー製造方法である混練粉砕法でトナーの小粒径化を行おうとすると、粉砕に必要なエネルギーが増加、トナーの歩留まりが悪化し、コストアップにつながってしまう。
【０００４】
これに対し、最近、重合法によるトナー製造方法が数々検討されてきており、これによればトナーの小粒径化も効率よく、コスト面でも有利に行うことが可能である。トナーを小粒径化すると、その流動性が低下し、画像パターンの一部が欠ける等の画質欠損を生じることがあることから、小粒径のトナーは流動性の改善のために表面形状を滑らかなものに、ひいては球形状とすることが行われている。
【０００５】
トナーの小径化は、解像度の高い高画質とトナー消費量を低減し、枚当たり価格を下げることができるという点から効果的であり、また先に述べた乳化重合凝集法によれば従来の混練粉砕製法では得がたかった５ミクロン以下の小径トナーが容易に生産可能となる。ただし、小径トナーは感光体表面への付着性が高く、転写性やクリーニング性の観点からは、不利であり信頼性低下の問題を起こすことがある。
【０００６】
具体的には、例えば、転写効率の低下によって、転写の際に中間転写体に転移せず像担持体上に残ったトナーを像担持体上から除去することが必要となる。一般に、電子写真方式による画像形成装置においては、像担持体のクリーニング手段として、ウレタンゴム等の弾性材料からなるクリーニングブレード（以下、必要に応じて単にブレードという）のエッジを像担持体表面に接触させたものが広く用いられている。このとき、ブレードは、一般に、その一端のエッジを像担持体の移動方向に対しカウンタ方向（ドクター方向）に圧接させて使用している。
【０００７】
ところで、小粒径の球形のトナーは、上述したブレードによるクリーニングが非常に困難であることが知られている。この理由は、小粒径の球形トナーがブレードをすり抜けてしまうためであるが、これについては、これまで様々な説明がなされている。一般的には、ブレードのエッジに集められた球形トナーは、同等の粒径であるため、互いを乗り越えて移動することが困難であり、また流動性が高くパッキング性が強い結果、最密充填状態になり易く、あたかも一つの集合体のようにブレードを押し上げる力を持ち、その結果ブレードをすり抜けてしまうと説明されている。これを改善しようとして、単にブレードやファーブラシの圧接力を増すようにしても、その効果は小さく、むしろ摩耗や損傷等により像担持体の寿命を低減させてしまうため、適用できないケースが多い。
【０００８】
このような像担持体上の球形トナー除去の問題に対し、これまでに数々の改善案が提案されている。例えば、特開平７−１６０１６５号公報には、ステアリン酸亜鉛粉末の塗布方法についての幾つかの方式、特にクリーニングブラシによってブロック状のステアリン酸亜鉛を削りつつ像担持体へ塗布する方式が提案されている。これは、ステアリン酸亜鉛により像担持体の摩擦係数を低減させ、球形トナーが最密充填状態になったとしても像担持体表面を滑るためブレードをすり抜けるには至らないという効果を狙ったものである。
【０００９】
また、例えば、特開昭６０−１３１５４７号公報及び特開平５−３３３７５７号公報には、球形トナー及び粉砕精製による不定形トナーを混合したものをトナーとして用いる方式が、特開平８−２５４８７３号公報には、４色フルカラー機において、うち１色の現像剤を粉砕法で精製した不定形トナーとする方式が提案されている。これは、ブレードをすり抜けにくい不定形トナーを混入させ、最密充填状態を発生させないようにすることで、（小粒径）球形トナーのすり抜けを防止するようにしたものである。
【特許文献１】特開平７−１６０１６５号公報
【特許文献２】特開昭６０−１３１５４７号公報
【特許文献３】特開平５−３３３７５７号公報
【特許文献４】特開平８−２５４８７３号公報
【発明の開示】
【発明が解決しようとする課題】
【００１０】
しかしながら、上述した先行技術においても、新たな技術的課題が生じる。例えば、特開平７−１６０１６５号公報記載の手段を適用しようとした場合には、ステアリン酸亜鉛が高価であり、特にブロック状に加工した場合にはランニングコストの低減を達成できない場合もある。
【００１１】
また、特開昭６０−１３１５４７号公報及び特開平５−３３３７５７号公報記載の手段では、所定の効果を得るために、画像形成装置の仕様によっては不定形トナーの混合比を球形トナーに対し１：１あるいは不定形トナーの方を多くすることが必要となるケースもある。これでは球形トナー使用の当初の目的である転写効率の向上によるランニングコストの低減を達成できなくなってしまう。
【００１２】
更に、特開平８−２５４８７３号公報記載の手段では、４サイクル方式のカラー画像形成装置のように複数色の像が順次形成担持される像担持体の場合は適用できるものの、４色タンデム方式のカラー画像形成装置のように単色の像が担持される像担持体の場合は適用できないため、高速化の要求に対し対応できないという技術的課題がみられた。
【００１３】
従って、本発明は、以上の技術的課題を解決するためになされたものであって、球形化度が高く小粒径のトナーを使用した場合であっても、像担持体の摩耗・損傷、無駄なトナー消費によるランニングコストアップ、像担持体上への摩擦抵抗低下物質の供給によるランニングコストアップを有効に回避しながら、トナーのクリーニング性を改善するようにした画像形成装置を提供するものである。
【課題を解決するための手段】
【００１４】
上記課題は、以下の手段により解決される。即ち、
本発明の画像形成装置は、像担持体に画像形成用トナーによるトナー像を形成する作像手段と、作象手段により担持されたトナー像を像担持体から記録媒体、又は中間転写体を介して記録媒体へ転写する転写手段と、像担持体から記録媒体又は中間転写体へのトナー像の転写完了後に、像担持体の表面に圧接して、残留した前記画像形成用トナーを除去するクリーニングブレードと、像担持体とクリーニングブレードとの圧接部に、クリーニング補助用トナーを供給するクリーニング補助用トナー供給手段と、を備えることを特徴としている。
【００１５】
本発明の画像形成装置では、像担持体とクリーニングブレードとの圧接部にクリーニング補助用トナーを供給すると、当該当接部にクリーニング補助用トナーによるトナーダムが形成されるので、画像形成用トナーのブレード擦り抜けが防止される。その結果、球形化度が高く小粒径のトナーを使用した場合であっても、像担持体の摩耗・損傷、無駄なトナー消費によるランニングコストアップ、像担持体上への摩擦抵抗低下物質の供給によるランニングコストアップを有効に回避しながら、トナーのクリーニング性を改善することができる。
【００１６】
ここで、本発明の画像形成装置としては、例えば、一又は複数の像担持体と、像担持体上に静電潜像を形成する潜像形成手段と、トナーによって像担持体上の静電潜像を現像する現像装置と、像担持体に対向配置される中間転写体と、中間転写体上に像担持体上のトナー像を転写する一次転写手段と、記録媒体上に中間転写体上のトナー像を転写する二次転写手段と、像担持体に接触配置され、一次転写後の像担持体上に残った残留トナーを除去するクリーニングブレードとを備える構成とすることができる。また、中間転写体を具備せず像担持体から直接記録媒体へトナー像を転写する構成とすることもできる。
【００１７】
そして、像担持体の周囲、又は中間転写体の周囲にクリーニング補助用トナー供給手段を具備させると、直接、又は中間転写体を介して像担持体上にクリーニング補助用トナーを供給することで、像担持体の回転に伴い、像担持体とクリーニングブレードとの圧接部にクリーニング補助用トナーが供給される。
【００１８】
特に、一つの中間転写体に対して複数の像担持体を対向配置する場合に、中間転写体の周囲上にクリーニング補助用トナーを供給するクリーニング補助用トナー供給手段を具備させると、中間転写体を介して各像担持体にクリーニング補助用トナーを供給することが可能であるため、各像担持体にクリーニング補助用トナー供給手段を配設する場合と比較して、クリーニング補助用トナー供給手段を一つとすることができ、装置の小型化、低コスト化を図ることができる。
【００１９】
なお、中間転写体の周囲にクリーニング補助用トナーを設ける場合、一次転写手段によってクリーニング補助用トナーを像担持体上へと転移させる。
【００２０】
このような構成において、像担持体は、潜像形成手段による静電潜像を形成担持するものであれば、感光体、誘電体など適宜選定して差し支えなく、その形状についてもドラム状、ベルト状を問わない。
潜像形成手段については、静電潜像を形成するものであれば、帯電、露光工程を経た方式、あるいは、イオン流による潜像書き込み工程を含む方式など適宜選定して差し支えない。
現像装置は、潜像形成手段によって像担持体上に形成された静電潜像を現像するものであれば、一成分現像、二成分現像、接触現像、非接触現像等、各種現像方式より適宜選定して差し支えなく、またこれら各種現像方式が混在するものであってもよい。
【００２１】
中間転写体は、トナー像を担持搬送できるものであれば、その形状はロール状、ベルト状等適宜選定して差し支えない。
【００２２】
一次転写手段は、中間転写体に像担持体上のトナー像を静電転写するものであればよく、二次転写手段も、記録媒体上に中間転写体上のトナー像を静電転写するものであればよい。
【００２３】
クリーニングブレードは、ブレード状の形状を有し且つその先端部が像担持体に接触するように配設されるものであれば適宜選定して差し支えないが、クリーニング性の確保という観点からすれば、像担持体の移動方向に対向する方向に突出して固定的に配設されるタイプ（所謂ドクターブレード方式）のものを採用することが好ましい。また、クリーニングブレードの先端（像担持体との圧接部）には潤滑剤を付着させておいてもよい。また、潤滑剤をクリーニングブレード内在させていてもよい。尚、二次転写後の中間転写体に残った残留トナーを除去するクリーニング手段を配設する態様にあっては、クリーニングブレードと同様に、ブレードタイプのものを用いることが好ましい。
【００２４】
クリーニング補助用トナー供給手段としては、像担持体、又は中間転写体上にクリーニング補助用トナーを供給するものであれば種々の方式より適宜選定して差し支えないが、構成の簡易化という観点からすれば、像担持体或いは中間転写体に対向する部位が開口し且つ内部にクリーニング補助用トナーが内包されるハウジングと、ハウジングの開口部に面して回転可能に配設され、クリーニング補助用トナーを担持搬送する搬送ロールと、搬送ロール上のクリーニング補助用トナーを像担持体或いは中間転写体へと転移させるバイアスを印加するバイアス印加手段とを備えたものを用いることが好ましい。尚、これらの構成は、通常用いられる現像装置と同様のものであり、部品の共通化によるメンテナンス性の向上という観点からすれば、現像装置と同じものを用いることが好ましい。このため、直接、像担持体にクリーニング補助用トナーを供給する場合、画像形成用トナーの現像装置に組み込むこともできる。
【００２５】
本発明の画像形成装置においては、クリーニング補助用トナーの体積平均粒径が、画像形成用トナーの体積平均粒径よりも小さいことが好適である。また、クリーニング補助用トナーの形状係数ＳＦ１が、画像形成用トナーの形状係数ＳＦ１と同等もしくは大きいことが好適である。また、クリーニング補助用トナーの体積平均粒径が、１．５〜５．０μｍであることが好適である。画像形成用トナーよりも、体積平均粒径が小さいものや同形或いは不定形のクリーニング補助用トナーを用いることで、像担持体とクリーニングブレードとの圧接部にクリーニング補助用トナーによるトナーダムが形成され易くなり、より効果的な画像形成用トナーのブレード擦り抜けが防止される。
【００２６】
また、画像形成用トナーの体積平均粒径が、１．５〜５．０μｍであることが好適である。また、画像形成用トナーの形状係数ＳＦ１が、１００〜１２５であることが好適である。特に球形化度が高く小粒径の画像形成用トナーはブレード擦り抜けが生じ易くクリーニング性が低下してしまうが、このような画像形成用トナーを用いた場合でも、効果的にクリーニング性が改善される。
【発明の効果】
【００２７】
本発明によれば、略球形で小粒径トナーを使用した場合であっても、像担持体の摩耗・損傷、無駄なトナー消費によるランニングコストアップ、像担持体上への摩擦抵抗低下物質の供給によるランニングコストアップを有効に回避しながら、トナーのクリーニング性を改善するようにした画像形成装置を提供することができる。
【発明を実施するための最良の形態】
【００２８】
以下、本発明の実施形態について図面を参照しつつ説明する。なお、実質的に同一の機能を有する部材には同じ符号を付与し、重複する説明は省略する。
【００２９】
（第１の実施形態）
図１は、本発明の第１の実施形態に係る画像形成装置を示す概略構成図である。
本実施形態に係る画像形成装置（カラー電子写真複写機）は、例えば電子写真方式にて各色成分トナー像が形成される複数の画像形成ユニット１００（具体的には１００Ｋ、１００Ｃ、１００Ｍ、１００Ｙ）と、各画像形成ユニット１００で形成された各色成分トナー像を順次転写（一次転写）保持させる中間転写体としての中間転写ベルト１１０と、中間転写ベルト１１０上に転写された重ね画像を記録材としての用紙Ｐに一括転写（二次転写）させる一括転写装置１２０と、一括転写されたトナー像を用紙Ｐ上に定着させる定着装置１５０と、を備えたものである。
【００３０】
各色成分の画像形成ユニット１００（具体的には１００Ｋ、１００Ｃ、１００Ｍ、１００Ｙ）は、像担持体としての感光体ドラム１０１（具体的には１０１Ｋ、１０１Ｃ、１０１Ｍ、１０１Ｙ）の周囲に、感光体ドラム１０１が帯電される帯電装置１０２（具体的には１０２Ｋ、１０２Ｃ、１０２Ｍ、１０２Ｙ）、感光体ドラム１０１上に静電潜像が書き込まれるレーザ露光装置１０３、各色成分トナー（画像形成用トナー：以下、単に「トナー」と記載する場合はこの画像形成用トナーを示す。）が収容されて感光体ドラム１０１上の静電潜像が可視像化される現像装置１０４（具体的には１０４Ｋ、１０４Ｃ、１０４Ｍ、１０４Ｙ）、感光体ドラム１０１上の各色成分トナー像が中間転写ベルト１１０に転写される転写手段としての一次転写ロール１０５（具体的には１０５Ｋ、１０５Ｃ、１０５Ｍ、１０５Ｙ）、転写域通過後の感光体ドラム１０１上に残留する残トナーを除去するドラムクリーナ１０６（具体的には１０６Ｋ、１０６Ｃ、１０６Ｍ、１０６Ｙ）等の電子写真デバイスを順次配設したものである。
【００３１】
ここで、一次転写ロール１０５としては、発泡ウレタンゴムから構成されその抵抗値を１０6〜１０8Ωに調整したものを用いている。そして、一次転写ロール１０５には、正極性の一次転写バイアスを印加する。本実施形態では、例えば、一次転写ロール１０５に＋１０００Ｖのバイアスを印加するようになっている。
【００３２】
ドラムクリーナ１０６は、感光体ドラム１０１の表面に対向した部位に開口部を持つ筐体及びこの開口部に配設されるクリーニングブレード１０７（具体的には１０７Ｋ、１０７Ｃ、１０７Ｍ、１０７Ｙ）を備えている。本実施の形態において、クリーニングブレード１０７は、例えば、ウレタンゴムで形成され、感光体ドラム１０１の表面に、その回転方向に対しカウンタ方向（ドクター方向）に向け、所定のオーバーラップ量をもって接するように配設されている。
【００３３】
中間転写ベルト１１０は、ポリイミド、ポリカーボネート、ポリエステル、ウレタン、ナイロン、アクリル、塩化ビニル、ポリプロピレン、ポリエチレンテレフタレート等の樹脂又は各種ゴムにカーボンブラック等を適当量含有させて体積抵抗率が１０６〜１０１４Ω・ｃｍとなるように形成され、その厚みは例えば０．１ｍｍに設定される。
【００３４】
また、記録媒体としての用紙Ｐの搬送経路に面した中間転写ベルト１１０の一括転写位置（二次転写位置）には、一括転写装置１２０が配設されており、一括転写装置１２０は中間転写ベルト１１０のトナー像担持面側に圧接配置される二次転写ロール（バイアスロール）１１４と、中間転写ベルト１１０の裏面側に配置されて二次転写ロール１１４の対向電極をなす対向ロール（バックアップロール）１１３とを備えている。
【００３５】
ここで、バックアップロール１１３は、絶縁性ロールを半導電性の薄層フィルムで被覆して形成されている。この薄層フィルムは厚さ１０μｍ〜２００μｍに形成され、その表面抵抗率が１０7〜１０11Ω／□（□：単位面積）に調整されている。また、バックアップロール１１３には、図示しないが、負極性の二次転写バイアスを印加するバイアス電源が接続されている。
【００３６】
バイアスロール１１４は接地された導電性ロールであり、その表面電位を常に接地位置と等電位に保つため、その抵抗値は１０7Ω・ｃｍ以下の低抵抗であることが望ましい。
【００３７】
また、一括転写装置１２０の下流側には、ウレタンゴム製のドクターブレード１３１を具備し、中間転写ベルト１１０上の残留トナーを除去するベルトクリーナ１３０が設けられている。そして、ベルトクリーナ１３０の下流側には、無色トナー（クリーニング補助用トナー）をドラムクリーナ１０６（クリーニングブレード１０７）へ供給する無色トナー供給装置１４０が配設されている。
【００３８】
ここで、無色トナー供給装置１４０は、図２に示すように、ハウジングとしての筐体１４１の開口部に中間転写ベルト１１０に対向して供給ロール１４２を配設すると共に、内部にはオーガ１４３を組み込み、無色トナー及びキャリアからなる供給剤Ｓを流動させつつ供給ロール１４２の表面に付着させ、中間転写ベルト１１０表面に向けて穂立ちを作って接触させるようになっている。
【００３９】
筐体１４１開口部の供給ロール１４２回転方向上流側には、トリマーギャップ調整部材１４４が配設されており、供給ロール１４２表面に均一な厚さの供給剤Ｓの穂立ち層が形成されるようになっている。また、供給ロール１４２には、バイアス電源が接続されており、一方、対向する支持ロール１１１は接地されている。
【００４０】
また、用紙搬送系は、用紙Ｐを所定のタイミングで二次転写位置へと送り込み、搬送ベルト１２１を介して二次転写後の用紙Ｐを定着装置１５０へと搬送するようになっている。
【００４１】
次に、本実施形態に係る画像形成装置の作像プロセスについて説明する。まず、不図示のスタートスイッチがオン操作されると、所定の作像プロセスが実行される。具体的に述べると、例えば、この画像形成装置をデジタルカラー複写機として構成する場合には、図示しない原稿台にセットされる原稿をカラー画像読み取り装置により読み取り、その読み取り信号を画像信号処理手段によりデジタル画像信号に変換してメモリーに一時的に蓄積し、その蓄積されている４色（Ｋ、Ｙ、Ｍ、Ｃ）のデジタル画像信号に基づいて各色のトナー像形成を行なわせるようにする。
【００４２】
すなわち、画像信号処理手段から入力される各色のデジタル画像信号に応じて画像形成ユニット１００を夫々駆動する。そして、各画像形成ユニット１００では、帯電装置１０２により一様に帯電された感光体ドラム１０１にデジタル信号に応じた静電潜像をレーザ露光装置１０３にて夫々書き込ませる。そして、これらの各静電潜像を各色のトナーを収容した現像装置１０４により現像して上記各色のトナー像を形成させる。
【００４３】
なお、現像装置１０４では、例えば、不図示の現像ロールにバイアス電源より−５６０Ｖのバイアスを印加することにより、画像部電位ＶＬとの電位差（現像電位）が２６０Ｖとなってトナーが感光体ドラム１０１の画像部に付着し現像される。一方、非画像部電位ＶＨとの電位差（クリーニング電位）は１４０Ｖとなってトナーが感光体ドラム１０１の非画像部に付着するのを防止している。また、−５６０Ｖの直流バイアスの他、ピークトゥピーク値ＶＰ−Ｐ＝１．０ｋＶ、周波数９ｋＨｚ、Ｄｕｔｙ＝６０％の矩形波も同時に印加している。
【００４４】
また、本実施形態に係る画像形成装置をプリンタ等の装置として構成する場合には、外部などから画像信号処理手段に入力される画像信号に基づいて各色のトナー像形成を行うようにすればよい。
【００４５】
そして、各感光体ドラム１０１上に形成されたトナー像は、各感光体ドラム１０１と中間転写ベルト１１０とが接する一次転写位置で一次転写ロール１０５によって感光体ドラム１０１から中間転写ベルト１１０の表面に順次転写される。一方、一次転写後に感光体ドラム１０１上に残留したトナーは、ドラムクリーナ１０６によってクリーニングされる。
【００４６】
このようにして中間転写体ベルト１１０に一次転写されたトナー像は中間転写ベルト１１０上で重ね合わされ、中間転写ベルト１１０の回動に伴って二次転写位置へと搬送される。一方、図示しない用紙トレイから用紙Ｐが搬出され、この用紙Ｐは所定のタイミングで二次転写位置へと供給され、バイアスロール１１４と中間転写ベルト１１０との間に挟み込まれる。
【００４７】
すると、二次転写位置では、バイアスロール１１４とバックアップロール１１３との間に形成される転写電界の作用で、中間転写ベルト１１０上に担持されたトナー像が用紙Ｐに一括転写される。このトナー像が転写された用紙Ｐは、定着装置１５０へと搬送されトナー像の定着が行われる。一方、二次転写後に中間転写ベルト１１０上に残留したトナーは、ベルトクリーナ１３０（ドクターブレード１３１）によってクリーニングされる。
【００４８】
以上が通常の画像形成プロセスであるが、感光体ドラム１０１上の残留トナーがドラムクリーナ１０６におけるクリーニングブレード１０７をすり抜けやすく、クリーニング不良を招くおそれがある。
【００４９】
そこで、本実施形態に係る画像形成装置では、中間転写ベルト１１０に配置した無色トナー供給装置１４０から、中間転写ベルト、そして感光体ドラム１０１を順次経て、ドラムクリーナ１０６におけるクリーニングブレード１０７と感光体ドラム１０１との圧接部に供給して、残留トナーのクリーニング不良を防止する。
【００５０】
この無色トナーの供給タイミングは、適宜設定して差し支えないが、通常の画像形成動作に影響を与えずに供給を行うという観点からすれば、予め決められた規定枚数の画像形成動作後に供給を行うことが好ましい。そして、より効率的な供給を行うという観点からすれば、規定枚数を、感光体ドラムの使用履歴に応じて変更することが好ましい。具体的には、例えば、太刀絵羽、画像形成装置組み立て直後且つ画像形成動作開始直前、及び、所定枚数（例えば１００枚等）のプリントを行なった後等のタイミングで行う。なお、感光体ドラム１０１あるいは感光体ドラム１０１を含む画像形成ユニット１００の交換が発生した場合にも同様の供給を行う。
【００５１】
また、複数の感光体ドラム１０１に、夫々均等に無色トナーを供給することがよいことから、中間転写ベルト１１０上に供給された無色トナーの通過時に各一次転写ロール１０５に印加するバイアスを、上流側から下流側に向かって大きくなるよう設定したり、適宜スイッチングする等して各感光体ドラム１０１にまんべんなく供給することが好ましい。
【００５２】
特に、一次転写ロール１０５による印加バイアスの極性を変えずに中間転写ベルト１１０から感光体ドラム１０１に無色トナーを転移するという観点からすれば、無色トナーはトナー（画像形成用トナー）の帯電極性とは逆の帯電極性を有していることが好ましい。なお、この場合、画像形成動作中すなわち一次転写と同時に感光体ドラム１０１への無色トナーの供給を行うようすることができる。
【００５３】
以下、このクリーニングブレードによるクリーニングのメカニズムについて図面を用いて説明する。図３は、（ａ）〜（ｃ）は、感光体ドラム１０１上の残留トナーＴがブレードニップ部（クリーニングブレードと感光体ドラムとの圧接部）に入り込んでくる様子を示したものである。
【００５４】
まず、クリーニングブレード１０７表面に初期的に付着させてある粉体潤滑剤Ｇが、ブレードエッジに一時的に溜り、すり抜けたりしながら、使用開始初期段階でのクリーニングブレード１０７の潤滑性を保つ（図３（ａ）参照）。
【００５５】
次に、非画像形成時に、無色トナー供給装置１４０から中間転写ベルト１１０上に無色トナーＵを供給し、その後中間転写ベルト１１０上の無色トナーＵを各感光体ドラム１０１（１０１Ｋ、１０１Ｃ、１０１Ｍ、１０１Ｙ）に夫々供給するプロセスを実行することで、各感光体ドラム１０１のブレードニップ部Ｄに無色トナーＵを供給をすると、無色トナーＵによるトナーダムが形成され、残留トナーＴによる充填状態の発生を防止するようになる（図３（ｂ）参照）。
【００５６】
次に、クリーニングブレード１０７と感光体ドラム１０１との間の隙間はくさび状になっているので、その先端の狭いところに粉体潤滑剤Ｇ、比較的小粒径の無色トナーＵの順で入り込み、画像形成時の残留トナーＴは上流側の広いところに溜まる。こうしてトナーダムが形成され、クリーニングが安定する（図３（ｃ）参照）。
【００５７】
このように、本実施形態に係る画像形成装置では、各感光体ドラム１０１と各クリーニングブレード１０７との間に、無色トナーＵによるトナーダムを形成するようにしたので、その領域に画像形成用の残留トナーＴが入り込みにくくなり、感光体ドラム１０１におけるトナーＴのすり抜けを防止することができる。
【００５８】
また、転写後に中間転写ベルト１１０上に残留した無色トナーＵは、ベルトクリーナ１３０のドクターブレード１３１に到達し、同様に、ここでも中間転写ベルト１１０とドクターブレード１３１との間に、無色トナーＵによるトナーダムが形成されることとなるため、その領域に画像形成時の残留トナーＴが入り込みにくくなり、中間転写ベルト１１０におけるトナーＴのすり抜けも防止することができる。
【００５９】
なお、無色トナーＵとして無色透明なものを用いているので、画像中に無色トナーＵが紛れ込んでしまったとしても、画質障害とはならず、また、樹脂を用いているので、定着装置１５０で画像形成用トナーと共に溶融、定着されてしまうこととなり、ここでも問題とはならない。
【００６０】
（第２実施形態）
図４は、本発明の第２の実施形態に係る画像形成装置を概略構成図である。
【００６１】
本実施形態に係る画像形成装置は、一つの感光体ドラム１０１に、イエロー（Ｙ）、マゼンタ（Ｍ）、シアン（Ｃ）、及びブラック（Ｋ）の各色のトナーに対応した現像器（１６０Ｙ、１６０Ｍ、１６０Ｃ、１６０Ｋ）と無色トナーを供給するための無色トナー供給装置１４０（構造は各現像器と同様）とを有するロータリー式現像装置１６０を備えた形態である。本実施形態に係る画像形成装置は、無色トナーを供給するための無色トナー供給装置１４０をロータリー式現像装置１６０に組み込んだ形態であり、これら以外は、第１実施形態と同様であるので説明を省略する。
【００６２】
次に、本実施形態に係る画像形成装置の作像プロセスについて説明する。まず、図示しないスタートスイッチがオン操作されると、所定の作像プロセスが実行される。まず、感光体ドラム１０１の表面が帯電装置１０２によって帯電された後、レーザ露光装置１０３からの露光ビームによって潜像が書き込まれる。
【００６３】
このとき、感光体ドラム１１に書き込まれた静電潜像がイエローの画像情報に対応したものであれば、この静電潜像はイエローのトナーが収容されるイエロー現像器１６０Ｙで現像され、感光体ドラム１０１上にはイエローのトナー像が形成される。そして、感光体ドラム１０１上に形成されたトナー像は、感光体ドラム１０１と中間転写ベルト１１０とが接する一次転写位置で一次転写ロール１０５に印加される一次転写バイアスによって中間転写ベルト１１０に転写される。一方、一次転写後に感光体ドラム１０１上に残留したトナーはドラムクリーナ１０６におけるクリーニングブレード１０７によって除去される。
【００６４】
このとき、単色画像を形成する場合には、中間転写ベルト１１０に一次転写されたトナー像を直ちに用紙Ｐに二次転写するのであるが、複数色のトナー像を重ね合わせたカラー画像を形成する場合には、感光体ドラム１０１上でのトナー像の形成並びにこのトナー像の一次転写の工程が色数分だけ繰り返される。
【００６５】
例えば、４色のトナー像を重ね合わせたフルカラー画像を形成する場合には、感光体ドラム１０１上には、ロータリー式現像装置１６０の一回転毎にイエロー、マゼンタ、シアン及びブラックの順でトナー像が各現像器により形成され、これらトナー像は順次中間転写ベルト１１０に一次転写される。
【００６６】
なお、ロータリー式現像装置１６０（各現像器）では、例えば、不図示の現像ロールにバイアス電源より−５６０Ｖのバイアスを印加することにより、画像部電位ＶＬとの電位差（現像電位）が２６０Ｖとなってトナーが感光体ドラム１０１の画像部に付着し現像される。一方、非画像部電位ＶＨとの電位差（クリーニング電位）は１４０Ｖとなってトナーが感光体ドラム１０１の非画像部に付着するのを防止している。また、−５６０Ｖの直流バイアスの他、ピークトゥピーク値ＶＰ−Ｐ＝１．０ｋＶ、周波数９ｋＨｚ、Ｄｕｔｙ＝６０％の矩形波も同時に印加されるようになっている。
【００６７】
一方、中間転写ベルト１１０は、最初に一次転写されたイエローのトナー像を保持したまま感光体ドラム１０１と同一周期で回動し、中間転写ベルト１１０上には、所定の位置にその一回転毎にマゼンタ、シアン及びブラックのトナー像が重ねられていく。
【００６８】
このようにして中間転写ベルト１１０に一次転写されたトナー像は、中間転写ベルト１１０の回動に伴って二次転写位置へと搬送される。そして、送り出された用紙Ｐは、所定のタイミングで二次転写位置へと供給され、バックアップロール１１３に対して、バイアスロール（二次転写ロール）１１４が用紙Ｐをニップする。
【００６９】
すると、二次転写位置では、バイアスロール１１４とバックアップロール１１３との間に形成される転写電界の作用で、中間転写ベルト１１０に担持されたトナー像が用紙Ｐに一括転写（二次転写）される。
【００７０】
その後、トナー像が二次転写された用紙Ｐは、定着装置１５０へと搬送され、用紙Ｐ上のトナー像が定着される。一方、二次転写後に中間転写ベルト１１０上に残留したトナーは、ベルトクリーナ１３０によってクリーニングされる。
【００７１】
以上が通常の画像形成プロセスであるが、感光体ドラム１０１上の残留トナーがドラムクリーナ１０６におけるクリーニングブレード１０７をすり抜けやすく、クリーニング不良を招くおそれがある。
【００７２】
そこで、本実施形態に係る画像形成装置でも、ロータリー式現像装置１６０に組み込んだ無色トナー供給装置１４０から感光体ドラム１０１を順次経て、ドラムクリーナ１０６におけるクリーニングブレード１０７と感光体ドラム１０１との圧接部に供給して、第１実施形態と同様に残留トナーのクリーニング不良を防止する。
【００７３】
なお、上記各実施形態では、ブレードニップ部においてトナー擦り抜けが生じやすい、球形化度が高く小粒径のトナー（画像画像形成用トナー）を使用した場合であっても、上述のように、効果的にクリーニング性の改善が行われる。このような特性のトナーとして好適には、形状係数ＳＦ１が１００〜１２５で体積平均粒径が１．５〜５．０μｍのトナーである。
【００７４】
一方、ブレードニップ部で安定して無色トナー（クリーニング補助用トナー）によるトナーダムを形成させ、トナー擦り抜けを防止するためには、トナー（画像形成用トナー）よりも体積平均粒径が小さいものや同形或いは不定形の無色トナーを用いることが好適である。このような特性の無色トナーとしては、トナーの体積平均粒径よりも小さく、トナーの形状係数ＳＦ１と同等もしくは大きいこと無色トナーである。また、無色トナーの体積平均粒径は１．５〜５．０μｍで設定することが好適でる。
【００７５】
ここで、体積平均粒径（体積平均粒径Ｄ５０）は、コールターカウンターＴＡＩＩ（ベックマン−コールター社製）を用い、電解液はＩＳＯＴＯＮ−ＩＩ（ベックマンーコールター社製）を使用して測定される。
【００７６】
具体的には、まず、分散剤として界面活性剤、好ましくはアルキルベンゼンスルホン酸ナトリウムの５％水溶液２ｍｌ中に、測定試料を０．５〜５０ｍｇ加え、これを電解液１００〜１５０ｍｌ中に添加する。そして、この測定試料を懸濁させた電解液を超音波分散器で約１分間分散処理を行い、コールターカウンターＴＡ−ＩＩ型により、アパーチャー径が３０μｍのアパーチャーを用いて、粒径が０．６〜１８μｍの範囲の粒子の粒度分布を測定する。
【００７７】
測定された粒度分布を、分割された粒度範囲（チャンネル）に対し、体積、数それぞれについて小径側から累積分布を描き、累積１６％となる粒径を、体積平均粒子径Ｄ１６ｖ及び数平均粒子径Ｄ１６ｐと定義し、累積５０％となる粒径を、体積平均粒子径Ｄ５０ｖ（既述のトナーの体積平均粒径はこれを指す）及び数平均粒子径Ｄ５０ｐと定義する。なお、これらを用いて、体積平均粒度分布指標（ＧＳＤｖ）は（Ｄ８４ｖ／Ｄ１６Ｖ）0.5、数平均粒度分布指標（ＧＳＤｐ）は（Ｄ８４Ｐ／Ｄ１６Ｐ）0.5  として算出される。また、小径側粒度分布指標ＧＳＤｐｓは、Ｄ５０ｐ／Ｄ１６ｐで表される。
【００７８】
形状係数は、ＳＦ１で表され、光学顕微鏡（ミクロフォトＦＸＡ；ニコン社製）で得た該トナーの拡大写真を、イメージアナライザーＬｕｚｅｘ  III（ＮＩＲＥＣＯ社製）により画像解析を行って以下の下記式により算出される。形状係数は、トナーの投影面積と、それに外接する円の面積との比で表しており、真球の場合１００となり、形状が崩れるにつれ増加する。
式：ＳＦ1＝（トナー径の最大長）2×π×１００／（トナーの投影面積×４）
【００７９】
形状係数を求める為の具体的な手法として、着色粒子、トナー画像を光学顕微鏡から画像解析装置（ＬＵＺＥＸIII、ニレコ社製）に取り込み、円相当径を測定して、最大長及び面積から、個々の粒子について上記式のＳＦ１の値を求めることができる。そして、形状係数ＳＦ１は、トナー粒子複数個、より具体的には１００個、に対して計算され、その平均値を代表値とする。
【００８０】
また、トナー（画像形成用トナー）は、公知の構成とすることができる。また、トナーは、例えば、分散重合法によって凝集成長させて製造することができる。その製造工程としては、例えば、樹脂粒子（例えばスチレンアクリル粒子）分散液と、色剤粒子分散液と、ワックス粒子分散液とを混合し、粒子を凝集させる工程、凝集粒子に加熱して癒着させる工程、及び洗浄工程を経て、粒形形状のトナーが精製される。分散粒子の凝集工程における温度、凝集時間、分散液濃度等の制御により、トナー粒径、形状をコントロールすることが出来る。
【００８１】
なお、トナーとしては、分散重合法以外にも、乳化凝集合一法、懸濁重合法、溶解懸濁法、乳化重合法、混練粉砕法等により形成されたトナーを使用してもよく、また、トナーとキャリアとを混在させた二成分系現像剤でもトナーのみの一成分系現像剤でも構わないことは勿論である。二成分系現像剤の場合、例えば、トナーに、平均粒径１０〜１００ｎｍの、シリカ及びチタニアの無機微粒子を適宜量外添し、平均粒径５０μｍのフェライトビーズからなるキャリアと混合した現像剤（現像ロール上での帯電量が−２５〜−３５μＣ／ｇ）が挙げられる。
【００８２】
一方、無色トナー（クリーニング補助用トナー）も、着色剤を使用以外は、同様な公知の構成で同様に製造することができる。
【００８３】
以下、トナー（画像形成用トナー）及び無色トナー（クリーニング補助用トナー）の作製方法の一例を示す。なお、各測定は以下のようにして行った。
【００８４】
・粒子径：測定する粒子が1μｍ未満の場合、レーザー回析式粒度分布測定装置（ＬＡ−７００：堀場製作所製）を用いて測定した。測定法としては分散液となっている状態の試料を固形分で約２ｇになるように調整し、これにイオン交換水を添加して、約４０ｍｌにする。これをセルに適当な濃度になるまで投入し、約２分待って、セル内の濃度がほぼ安定になったところで測定する。得られたチャンネルごとの体積平均粒径を、体積平均粒径の小さい方から累積し、累積５０％になったところを体積平均粒径とした。
【００８５】
・トナー、樹脂の分子量、分子量分布測定方法：分子量分布は、以下の条件で行ったものである。ＧＰＣは「ＨＬＣ−８１２０ＧＰＣ、ＳＣ−８０２０（東ソー（株）社製）装置」を用い、カラムは「ＴＳＫｇｅｌ、ＳｕｐｅｒＨＭ−Ｈ（東ソー（株）社製６．０ｍｍＩＤ×１５ｃｍ）」を２本用い、溶離液としてＴＨＦ（テトラヒドロフラン）を用いた。実験条件としては、試料濃度０．５％、流速０．６ｍｌ／ｍｉｎ．、サンプル注入量１０μｌ、測定温度４０℃、ＩＲ検出器を用いて実験を行った。また、検量線は東ソー社製「ｐｏｌｙｓｔｙｌｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製した。
【００８６】
・離型剤の融点、トナーのガラス転移温度の測定方法：離型剤の融点及びトナーのガラス転移温度は、ＡＳＴＭＤ３４１８−８に準拠して測定された主体極大ピークより求めた。主体極大ピークの測定には、パーキンエルマー社製のＤＳＣ−７を用いることができる。この装置の検出部の温度補正はインジウムと亜鉛との融点を用い、熱量の補正にはインジウムの融解熱を用いる。サンプルは、アルミニウム製パンを用い、対照用に空パンをセットし、昇温速度１０℃／ｍｉｎで測定を行った。
【００８７】
―トナー及び現像剤の作製方法―
（樹脂微粒子分散液（１）の調製）
・スチレン：４８０重量部
・ｎブチルアクリレート：１２０重量部
・アクリル酸：１８重量部
・ドデカンチオール：１２重量部
上記成分を混合溶解して溶液を調製する。他方、アニオン性界面活性剤（ダウケミカル社製、ダウファックス）１２重量部をイオン交換水２５０重量部に溶解し、前記溶液を加えてフラスコ中で分散し乳化した溶液（単量体乳化液Ａ）を調整した。
【００８８】
さらに、同じくアニオン性界面活性剤（ダウケミカル社製、ダウファックス）１重量部を５５５重量部のイオン交換水に溶解し、重合用フラスコに仕込む。
重合用フラスコを密栓し、還流管を設置し、窒素を注入しながら、ゆっくりと攪拌しながら、７５℃まで重合用フラスコをウオーターバスで加熱し、保持する。過硫酸アンモニウム９重量部をイオン交換水４３重量部に溶解し、重合用フラスコ中に定量ポンプを介して、２０分かけて滴下した後、単量体乳化液Ａをやはり定量ポンプを介して２００分かけて滴下する。その後、ゆっくりと攪拌を続けながら重合用フラスコを７５℃に、３時間保持して重合を終了する。
これにより微粒子の中心径が２５０ｎｍ、ガラス転移点が５５℃、重量平均分子量が２７０００、固形分量が４２％の樹脂微粒子分散液（１）を得た。
【００８９】
（着色剤粒子分散液（１）の調製）
・黄色顔料（クラリアントジャパン社製、Ｃ．Ｉ．Ｐｉｇｍｅｎｔ  Ｙｅｌｌｏｗ７４）：５０重量部
・アニオン性界面活性剤（第一工業製薬製、ネオゲンＲＫ）：５重量部
・イオン交換水：２００重量部
上記成分を混合溶解し、ホモジナイザー（ＩＫＡ  社製、ウルトラタラックス）により１０分間分散し、中心径２００ｎｍ、固形分量２１．５％のＹｅｌｌｏｗ着色剤粒子分散液（１）を得た。
【００９０】
（離型剤粒子分散液の調製）
・ＨＮＰ０９（日本精蝋製、融点７５℃）：５０重量部
・アニオン性界面活性剤（ダウケミカル社製、ダウファクス）：５重量部
・イオン交換水：２００重量部
上記成分を１１０℃に加熱して、ホモジナイザー（ＩＫＡ  社製、ウルトラタラックスＴ５０）で十分に分散した後、圧力吐出型ホモジナイザー（ゴーリンホモジナイザー、ゴーリン社製）で分散処理し、中心径１２０ｎｍ、固形分量２１．０％の離型剤粒子分散液を得た。
【００９１】
（トナー及び現像剤の作製１）
・非結晶樹脂微粒子分散液（１）：１３０．８重量部（樹脂５４．９４重量部）
・着色剤粒子分散液（１）：３９．５重量部（顔料８．５重量部）
・離型剤粒子分散液：３８．１重量部（離型剤８重量部）
・ポリ塩化アルミニウム：０．１４重量部
上記成分を丸型ステンレス製フラスコ中でホモジナイザー（ＩＫＡ  社製、ウルトラタラックス  Ｔ５０）で十分に混合・分散した後、加熱用オイルバスでフラスコを攪拌しながら４０℃まで加熱し、４０℃で６０分間保持した後、非結晶樹脂微粒子分散液（１）を６８重量部（樹脂２８．５６重量部）追加して緩やかに攪拌した。その後、５１℃に昇温し、そのままの温度で１８０分間維持、粒度分布がより狭くなっていくことをコールターカウンターで確認した。
【００９２】
その後、０．５モル／リットルの水酸化ナトリウム水溶液で系内のｐＨを６．５に調整した後、攪拌を継続しながら９５℃まで加熱した。
反応終了後、冷却し、濾過し、イオン交換水で十分に洗浄した後、ヌッチェ式吸引濾過で固液分離した。そして、４０℃のイオン交換水３リットル中に再分散し、１５分、３００ｒｐｍで攪拌、洗浄した。この洗浄操作を５回繰り返し、ヌッチェ式吸引濾過で固液分離し、次いで、最終乾燥温度が４０℃となるように設定し凍結乾燥を１０時間行いトナー粒子１を得た。
【００９３】
このトナー粒子１の粒径をコールターカウンターで測定したところ、体積平均粒径Ｄ５０が３．２μｍ、小径側粒度分布指標ＧＳＤｐｓが１．２３、であった。また、ルーゼックスによる形状観察より求めたトナー粒子の形状係数ＳＦ１は１２０の球形状であった。
【００９４】
上記のトナー粒子５０重量部に対し、疎水性シリカ（キャボット社製、ＴＳ７２０）２重量部を添加し、サンプルミルで混合して外添トナー１を得た。
そして、ポリメチルメタアクリレート（綜研化学社製）を１％被覆した平均粒径５０μｍのフェライトキャリアを用い、トナー濃度が５％になるように前記の外添トナーを秤量し、両者をボールミルで５分間攪拌・混合して現像剤１を調製した。
【００９５】
（トナー及び現像剤の作製２）
トナー粒子１の作製における設定温度を２５℃に変更した以外はトナー粒子１と同様の方法でトナー粒子２を作製した。体積平均粒径Ｄ５０が１．５μｍ、小径側粒度分布指標ＧＳＤｐｓが１．２４、形状係数ＳＦ１は１１８の球形状であった。
【００９６】
トナー粒子２を外添トナー１と同様の方法で外添トナー２を得、これを現像剤１と同様の方法で現像剤２を調整した。
【００９７】
（トナー及び現像剤の作製３）
トナー粒子１の作製における設定温度を４５℃に変更した以外はトナー粒子１と同様の方法でトナー粒子３を作製した。体積平均粒径Ｄ５０が５．１μｍ、小径側粒度分布指標ＧＳＤｐｓが１．２２、形状係数ＳＦ１は１２２の球形状であった。
【００９８】
トナー粒子３を外添トナー１と同様の方法で外添トナー３を得、これを現像剤１と同様の方法で現像剤３を調整した。
【００９９】
（トナー及び現像剤の作製４）
トナー粒子１の作製における設定温度を５０℃に変更した以外はトナー粒子１と同様の方法でトナー粒子４を作製した。体積平均粒径Ｄ５０が５．８μｍ、小径側粒度分布指標ＧＳＤｐｓが１．２２、形状係数ＳＦ１は１２１の球形状であった。
【０１００】
トナー粒子４を外添トナー１と同様の方法で外添トナー４を得、これを現像剤１と同様の方法で現像剤４を調整した。
【０１０１】
（トナー及び現像剤の作製５）
トナー粒子１の作製における設定温度を５４℃に変更した以外はトナー粒子１と同様の方法でトナー粒子２を作製した。体積平均粒径Ｄ５０が６．５μｍ、小径側粒度分布指標ＧＳＤｐｓが１．２１、形状係数ＳＦ１は１２２の球形状であった。
【０１０２】
トナー粒子５を外添トナー１と同様の方法で外添トナー５を得、これを現像剤１と同様の方法で現像剤５を調整した。
【０１０３】
（トナー及び現像剤の作製６）
トナー粒子１の作製における設定温度を５６℃に変更した以外はトナー粒子１と同様の方法でトナー粒子６を作製した。体積平均粒径Ｄ５０が７．５μｍ、小径側粒度分布指標ＧＳＤｐｓが１．２１、形状係数ＳＦ１は１２３の球形状であった。
トナー粒子２を外添トナー１と同様の方法で外添トナー２を得、これを現像剤１と同様の方法で現像剤２を調整した。
【０１０４】
―無色トナーの作製方法―
（無色トナーの作製１）
トナー及び現像剤の作製１において、着色剤を使用せず、非結晶樹脂微粒子分散液（１）を１５１重量部にし、設定温度を２５℃にした以外はトナーの作製１と同様にして無色トナーを作製した。そして、得られた無色トナーを同様にキャリアと混合した。得られた無色トナーは、体積平均粒径Ｄ５０が１．２μｍ、小径側粒度分布指標ＧＳＤｐｓが１．２４、形状係数ＳＦ１は１１９であった。
【０１０５】
（無色トナーの作製２）
トナー及び現像剤の作製１において、着色剤を使用せず、非結晶樹脂微粒子分散液（１）を１５１重量部にし、設定温度を３０℃にした以外はトナーの作製１と同様にして無色トナーを作製した。そして、得られた無色トナーを同様にキャリアと混合した。得られた無色トナーは、体積平均粒径Ｄ５０が１．９μｍ、小径側粒度分布指標ＧＳＤｐｓが１．２３、形状係数ＳＦ１は１２０であった。
【０１０６】
（無色トナーの作製３）
トナー及び現像剤の作製１において、着色剤を使用せず、非結晶樹脂微粒子分散液（１）を１５１重量部にし、設定温度を３７℃にした以外はトナーの作製１と同様にして無色トナーを作製した。そして、得られた無色トナーを同様にキャリアと混合した。得られた無色トナーは、体積平均粒径Ｄ５０が３．０μｍ、小径側粒度分布指標ＧＳＤｐｓが１．２３、形状係数ＳＦ１は１２１であった。
【０１０７】
（無色トナーの作製４）
トナー及び現像剤の作製１において、着色剤を使用せず、非結晶樹脂微粒子分散液（１）を１５１重量部にし、設定温度を４１℃にした以外はトナーの作製１と同様にして無色トナーを作製した。そして、得られた無色トナーを同様にキャリアと混合した。得られた無色トナーは、体積平均粒径Ｄ５０が３．５μｍ、小径側粒度分布指標ＧＳＤｐｓが１．２２、形状係数ＳＦ１は１２０であった。
【０１０８】
（無色トナーの作製５）
トナー及び現像剤の作製１において、着色剤を使用せず、非結晶樹脂微粒子分散液（１）を１５１重量部にし、設定温度を４３℃にした以外はトナーの作製１と同様にして無色トナーを作製した。そして、得られた無色トナーを同様にキャリアと混合した。得られた無色トナーは、体積平均粒径Ｄ５０が３．９μｍ、小径側粒度分布指標ＧＳＤｐｓが１．２１、形状係数ＳＦ１は１２０であった。
【０１０９】
（無色トナーの作製６）
トナー及び現像剤の作製１において、着色剤を使用せず、非結晶樹脂微粒子分散液（１）を１５１重量部にし、設定温度を４６℃にした以外はトナーの作製１と同様にして無色トナーを作製した。そして、得られた無色トナーを同様にキャリアと混合した。得られた無色トナーは、体積平均粒径Ｄ５０が４．５μｍ、小径側粒度分布指標ＧＳＤｐｓが１．２０、形状係数ＳＦ１は１２２であった。
【０１１０】
−不定形トナーの作製−
・ポリエステル樹脂（花王社製ＮＥ−３８２）：８３．５質量部
・Ｐｉｇｍｅｎｔ  Ｙｅｌｌｏｗ  ７４：８．５質量部
・ＨＮＰ−０９（日本精鑞社製）：８．０質量部
【０１１１】
以上をバンバリーミキサーで混練し、フィッツミルで粗粉砕した後、ジェットミルを用いて微粉砕し、これを風力式分級機で分級し、それぞれ１．５μｍ、３．２μｍ、５．１μｍ、５．８μｍ、６．５μｍ、７．５μｍのトナーを得た。
【０１１２】
（試験例）
上記第１の本実施形態に係る画像形成装置を用い、上記作製方法に基づき作製した各体積平均粒径（１．５μｍ、３．２μｍ、５．１μｍ、５．８μｍ、６．５μｍ、７．５μｍ）のトナーとキャリアとの現像剤（トナー濃度６重量％）を十分に攪拌した後、現像装置に充填し、そして、上記作製方法に基づき作製した各体積平均粒径（１．２μｍ、１．９μｍ、３．０μｍ、３．５μｍ、３．９μｍ、４．５μｍ）のトナーとキャリアとの混合物を（無色トナー濃度６重量％）を十分に攪拌した後、無色トナー供給装置し、上記作像プロセスに従ってプリントを実施した。
【０１１３】
そして、感光体ドラムの磨耗状態、トナー（画像形成用トナー）の転写効率、感光体ドラムのクリーニング性について評価した。その結果を表１に示す。
【０１１４】
また、比較のために、無色トナーを使用しない以外は同様にしてプリントを実施した。その結果は表２に示す。
さらに、感光体ドラムのクリーニング性を改善するために、ブレードクリーナーの押し当て力（NF）を大きくして評価した。その結果は表３に示す。
感光体ドラムのクリーニング性を改善する別の方法として、画像形成用トナーを不定形トナーの作製例で作製したトナーを用いて評価した。その結果は表４に示す。
【０１１５】
なお、評価方法は以下の通りである。
・感光体ドラムの磨耗状態の評価法：β線膜厚測定装置（フイッシャーインスツゥルメンツ社製ＦＩＳＨＥＲＳＣＯＰＥ−ＢＥＴＡ８７０）を用い、初期状態と１００００プリント後の感光体の膜厚を測定した。
・トナー（画像形成用トナー）の転写効率の評価法：感光体上の現像トナー重量と用紙上の転写トナー重量を測定し、比（転写トナー重量／現像トナー重量）を転写効率とした。
・感光体ドラムのクリーニング性の評価法：画像形成中にマシンを強制停止させ、クリーニングブレードと感光体の当接部から３０ｍｍ通過した感光体上のトナーをメンディングテープ（住友スリーエム社製：幅２４ｍｍ）を用いて、粘着させた。これを白紙上に貼り付け、目視で評価した。
【０１１６】
【表１】
2006084842.tif 000003
【０１１７】
【表２】
2006084842.tif 000004
【０１１８】
【表３】
2006084842.tif 000005
【０１１９】
【表４】
2006084842.tif 000006
【０１２０】
これらの結果から、本実施形態では、球形化度が高く小粒径のトナーを使用した場合であっても、感光体ドラムの摩耗・損傷、無駄なトナー消費によるランニングコストアップを有効に回避しながら、トナーのクリーニング性を改善さされることがわかる。また、感光体ドラム上への摩擦抵抗低下物質に過度な供給を施さなくとも、十分にクリーニング性を発揮するため、そのランニングコストアップを防止できることもわかる。
【図面の簡単な説明】
【０１２１】
【図１】本発明の第１の実施形態に係る画像形成装置を示す概略構成図である。
【図２】本発明の第１の実施形態に係る画像形成装置における無色トナー供給装置を示す概略構成図である。
【図３】クリーニングブレードによるクリーニングのメカニズムについて説明する図である。
【図４】本発明の第２の実施形態に係る画形成装置を示す概略構成図である。
【符号の説明】
【０１２２】
１００ 画像形成ユニット（作像手段）
１０１ 感光体ドラム（像担持体）
１０２ 帯電装置
１０３ レーザ露光装置
１０４ 現像装置
１０５ 一次転写ロール
１０６ ドラムクリーナ
１０７ クリーニングブレード
１１０ 中間転写ベルト
１１３ バックアップロール
１１４ バイアスロール
１２０ 一括転写装置
１２１ 搬送ベルト
１３０ ベルトクリーナ
１３１ ドクターブレード
１４０ 無色トナー供給装置
１５０ 定着装置
【図１】
2006084842.tif 000007
【図２】
2006084842.tif 000008
【図３】
2006084842.tif 000009
【図４】
2006084842.tif 000010